(57)【要約】【課題】踏段の踏面と回転ブラシとの間にゴミが溜まることを防止できる乗客コンベアの踏段清掃装置の提供。【解決手段】本発明は、コームプレート１３の下面側に配置され、踏段２の踏面１１のゴミ１６を清掃する回転ブラシ１４と、この回転ブラシ１４を駆動する駆動部１５とを有する踏段清掃装置において、回転ブラシ１４は、踏段２の幅方向に延設され、駆動部１５によって駆動される軸１８を中心に回転可能なものから成り、回転ブラシ１４の回転に伴って、回転ブラシ１４に付着したゴミ１６を、回転ブラシ１４の両端部側のうちの少なくとも一方の端部側に案内する案内手段、例えば回転ブラシ１４の延設方向に沿って軸１８に複数設けた案内ブラシ１７を備えている。また、回転ブラシ１４の端部側には、案内ブラシ１７によって案内されたゴミ１６を回収するゴミ箱を配置してある。【選択図】図３
2016011180.tif 000002
【特許請求の範囲】
【請求項１】
乗客を乗せて移動する踏段と、前記踏段がその下面側を通過するくし板と、前記くし板を固設するコームプレートとを備えた乗客コンベアに設けられ、
前記コームプレートの下面側に配置され、前記踏段の踏面のゴミを清掃する回転ブラシと、前記回転ブラシを駆動する駆動部とを有する乗客コンベアの踏段清掃装置において、
前記回転ブラシは、前記踏段の幅方向に延設され、前記駆動部によって駆動される軸を中心に回転可能なものから成り、
前記回転ブラシの回転に伴って、前記回転ブラシに付着したゴミを、前記回転ブラシの両端部側のうちの少なくとも一方の端部側に案内する案内手段を備えたことを特徴とする乗客コンベアの踏段清掃装置。
【請求項２】
請求項１に記載の乗客コンベアの踏段清掃装置において、
前記案内手段は、前記回転ブラシの延設方向に沿って前記軸に複数設けられ、前記回転ブラシに付着した前記ゴミを案内する案内ブラシから成ることを特徴とする乗客コンベアの踏段清掃装置。
【請求項３】
請求項２に記載の乗客コンベアの踏段清掃装置において、
前記案内ブラシの毛を、前記回転ブラシの毛よりも長い毛に設定したことを特徴とする乗客コンベアの踏段清掃装置。
【請求項４】
請求項２または３に記載の乗客コンベアの踏段清掃装置において、
前記案内ブラシの毛を、前記回転ブラシの毛よりも固い毛に設定したことを特徴とする乗客コンベアの踏段清掃装置。
【請求項５】
請求項１に記載の乗客コンベアの踏段清掃装置において、
前記案内手段は、前記回転ブラシの上側部分を覆うように前記回転ブラシの延設方向に沿って形成されたカバーから成り、
前記カバーは、前記その延設方向に沿って前記回転ブラシに対向するように複数設けられ、前記回転ブラシに付着した前記ゴミを案内する仕切り部を有することを特徴とする乗客コンベアの踏段清掃装置。
【請求項６】
請求項１〜５のいずれか１項に記載の乗客コンベアの踏段清掃装置において、
前記回転ブラシの両側端部のうちの少なくとも一方の側に、前記案内手段によって案内された前記ゴミを回収するゴミ箱を備えたことを特徴とする乗客コンベアの踏段清掃装置。
【発明の詳細な説明】
【技術分野】
【０００１】
本発明は、エスカレータ等の乗客コンベアに備えられた踏段の踏面を清掃する回転ブラシを有する乗客コンベアの踏段清掃装置に関する。
【背景技術】
【０００２】
乗客コンベア例えばエスカレータは、上部機械室に備えられ踏段チェーンを駆動する駆動スプロケットと、下部機械室に備えられ踏段チェーンが掛け回される従動スプロケットを備えている。踏段チェーンには、等間隔で複数の踏段が固定されている。モータを駆動させることにより、駆動スプロケットが回転し、これに伴って踏段チェーン及び踏段が下階から上階へ、あるいは上階から下階へ向かって移動する。したがって、乗客は踏段の踏面に乗ることにより階床間を移動することができる。
【０００３】
このようなエスカレータに備えられた踏段の踏面を清掃する踏段清掃装置が、特許文献１に開示されている。この従来技術は、コームプレートの下面側に配置され、踏段の踏面のゴミを清掃する回転ブラシと、この回転ブラシを必要時のみ回転、あるいは昇降させる駆動部とを備えた構成となっている。
【先行技術文献】
【特許文献】
【０００４】
【特許文献１】特開平７−１０９０８９号公報
【発明の概要】
【発明が解決しようとする課題】
【０００５】
ところで、踏段の移動に伴って踏面上のゴミも移動し、踏段とくし板との隙間よりも小さいゴミはくし板の下側を通る。ここで前述のように構成された従来技術では、踏段の踏面に回転ブラシが接触していることによって、踏段の踏面と回転ブラシとの間にゴミが溜まってしまう虞がある。このように踏段の踏面と回転ブラシとの間に溜まったゴミは、踏段の前端や後端から機械室内に分散して落下する。したがって従来技術にあっては、機械室内に分散して落下したゴミを回収する清掃作業に多大の手間が掛かりやすかった。なお、踏段の進行方向によっては、ゴミが踏段のライザ部分に落ちて、このライザ部分の汚損や破損を生じる懸念もあった。
【０００６】
本発明は、前述した従来技術における実情からなされたもので、その目的は、踏段の踏面と回転ブラシとの間にゴミが溜まることを防止できる乗客コンベアの踏段清掃装置を提供することにある。
【課題を解決するための手段】
【０００７】
前記目的を達成するために、本発明に係る乗客コンベアの踏段清掃装置は、乗客を乗せて移動する踏段と、前記踏段がその下面側を通過するくし板と、前記くし板を固設するコームプレートとを備えた乗客コンベアに設けられ、前記コームプレートの下面側に配置され、前記踏段の踏面のゴミを清掃する回転ブラシと、前記回転ブラシを回転する駆動部とを有する乗客コンベアの踏段清掃装置において、前記回転ブラシは、前記踏段の幅方向に延設され、前記駆動部によって駆動される軸を中心に回転可能なものから成り、前記回転ブラシの回転に伴って、前記回転ブラシに付着したゴミを、前記回転ブラシの両端部側のうちの少なくとも一方の端部側に案内する案内手段を備えたことを特徴としている。
【発明の効果】
【０００８】
本発明に係る乗客コンベアの踏段清掃装置によれば、駆動部によって駆動される回転ブラシと踏段の踏面との間に位置するゴミは、回転ブラシの回転に伴って案内手段によって回転ブラシの両端部側のうちの少なくとも一方の端部側に案内される。すなわち本発明は、踏段の踏面と回転ブラシとの間にゴミが溜まることを防止でき、踏段の踏面と回転ブラシとの間に位置するゴミを分散させずに、回転ブラシの両端部側のうちの少なくとも一方の端部側という特定箇所に排出させることができる。これにより本発明は、ゴミを回収する清掃作業の作業能率を従来に比べて向上させることができる。また、従来懸念されていたゴミによる踏段のライザの汚損や破損を確実に防ぐことができる。
【図面の簡単な説明】
【０００９】
【図１】本発明に係る踏段清掃装置の第１実施形態が設置される乗客コンベアの一例として挙げたエスカレータの上部部分を示す要部側面図である。
【図２】図１に示すエスカレータに第１実施形態に係る踏段清掃装置を設置した状態を示す要部拡大側面図である。
【図３】図１のＡ方向から見た図である。
【図４】本発明の第２実施形態の要部を示す図で、図３に対応させて描いた図である。
【図５】本発明の第３実施形態の要部を示す図で、図３に対応させて描いた図である。
【図６】本発明の第４実施形態を示す要部拡大側面図である。
【図７】図６のＢ方向から見た図である。
【図８】本発明の第５実施形態の要部を示す図で、図７に対応させて描いた図である。
【図９】本発明の第６実施形態の要部を示す図で、図７に対応させて描いた図である。
【発明を実施するための形態】
【００１０】
以下、本発明に係る乗客コンベアの踏段清掃装置の実施の形態を図面に基づいて説明する。
【００１１】
本発明に係る踏段清掃装置の第１実施形態が設置される乗客コンベアは、例えばエスカレータである。このエスカレータは図１に示すように、乗降口１、無端状に回動しながら乗客を運ぶ踏段２、この踏段２の両側に直立する欄干３、及び踏段２と同一方向に回動するハンドレール４を備えている。また、このエスカレータは、乗客が乗る踏段２の蹴上げ部に足等が挟まれることを防ぐために、隣接する踏段２との隙間が変化しないような曲面で構成されたライザ５、踏段２とハンドレール４を回動させるモータ等から成る駆動機６、及びこの駆動機６の動力により踏段２等を回動させるターミナルギヤ７等を備えている。
【００１２】
乗降口１付近を拡大した図２に示すように、乗降口１には、踏段２の踏面１１と噛み合って乗客をより安全に移動させるくし板１２と、このくし板１２が固設され、かつ「へ」の字形状をしたコームプレート１３とが備えられている。
【００１３】
同図２、及び図２のＡ方向から見た図３に示すように、本発明の第１実施形態に係る踏段清掃装置は、コームプレート１３の下面側に配置され、踏段２の踏面１１の紙屑や煙草等のゴミ１６を清掃する回転ブラシ１４と、この回転ブラシ１４を駆動する駆動部１５とを備えている。回転ブラシ１４は、図３に示すように、踏段２の幅方向に延設され、駆動部１５によって駆動される軸１８を中心に、図２の矢印２２に示すように回転可能になっている。
【００１４】
また、この第１実施形態は、回転ブラシ１４の回転に伴って、回転ブラシ１４に付着したゴミ１６を、回転ブラシ１４の両端部側のうちの少なくとも一方の端部側に、例えば図３における左端部側に案内する案内手段を備えている。この案内手段は、回転ブラシ１４の延設方向に沿って軸１８に例えば等間隔で複数設けられ、回転ブラシ１４に付着したゴミ１６を案内する案内ブラシ１７から成っている。
【００１５】
図３に示すように、複数の案内ブラシ１７のそれぞれは、上部から左下に向う形状に形成してある。この案内ブラシ１７の毛は、例えば回転ブラシ１４の毛よりも長い毛に設定してある。
【００１６】
なお、前述のように案内ブラシ１７の毛を回転ブラシ１４の毛よりも長い毛とするとともに、あるいは長い毛とする代わりに、案内ブラシ１７の毛を、回転ブラシ１４の毛よりも固い毛に設定するようにしてもよい。
【００１７】
図示しないが、この第１実施形態は、図３に示す回転ブラシ１４の左端部側に、案内ブラシ１７によって案内されたゴミ１６を回収するごみ箱を備えている。
【００１８】
前述のように第１実施形態に係る踏段清掃装置を取り付けた状態で、駆動機６を駆動すると、ターミナルギヤ７が回転し、踏段２が移動する。この第１実施形態では、踏段２は、くし板１２に入る方向である矢印２１方向に移動する。踏段２の踏面１１上に乗ったゴミ１６は、踏段２の移動によって、くし板１２が配置されている乗降口１側へ移動する。このとき、大きなゴミ１６は、踏段２とくし板１２との隙間部分、またはくし板１２の上に溜まる。
【００１９】
踏段２と、くし板１２との隙間より小さなゴミ１６は、くし板１２の下側を通過する。くし板１２の下側を通過したゴミ１６は、駆動部１５によって駆動された回転ブラシ１４に付着し、この回転ブラシ１４の回転により、回転ブラシ１４の上方に持ち上げられ、例えば途中で自重により落下する。このとき、案内ブラシ１７により、ゴミ１６は図３における左方向へ案内されつつ落下する。このような動きが繰り返されて、ゴミ１６は踏段２の左端部側に案内されて排出され、左端部側に設けた図示しないゴミ箱に回収される。
【００２０】
この第１実施形態に係る踏段清掃装置によれば、駆動部１５によって駆動される回転ブラシ１４と踏段２の踏面１１との間に位置するゴミ１６は、前述したように、回転ブラシ１４の回転に伴って案内ブラシ１７によって回転ブラシ１４の図３における左端部側に案内される。
【００２１】
すなわち、この第１実施形態は、踏段２の踏面１１と回転ブラシ１４との間にゴミ１６が溜まることを防止でき、踏段２の踏面１１と回転ブラシ１４との間に位置するゴミ１６を分散させずに、回転ブラシ１４の前述した左端部側という特定箇所に排出させ、図示しないゴミ箱に回収させることができる。これにより、この第１実施形態は、ゴミ１６を回収する清掃作業の作業能率を向上させることができる。また、ゴミ１６による踏段２のライザ５の汚損や破損を確実に防ぐことができる。
【００２２】
図４に示す第２実施形態に係る踏段清掃装置は、回転ブラシ１４に付着したゴミ１６を案内する案内手段を構成する案内ブラシ１７のそれぞれを、上部から右下に向う形状に形成してある。この案内ブラシ１７の毛は、第１実施形態と同様に例えば回転ブラシ１４の毛よりも長い毛に設定してある。また図示しないが、この第２実施形態は、図４に示す回転ブラシ１４の右端部側に、案内ブラシ１７によって案内されたゴミ１６を回収するごみ箱を備えている。その他の構成は、前述した第１実施形態と同等である。
【００２３】
このように構成した第２実施形態も、駆動部１５によって駆動される回転ブラシ１４と踏段２の踏面１１との間に位置するゴミ１６は、回転ブラシ１４の回転に伴って案内ブラシ１７によって回転ブラシ１４の図４における右端部側に案内される。したがってこの第２実施形態も、第１実施形態におけるのと同様に、踏段２の踏面１１と回転ブラシ１４との間にゴミ１６が溜まることを防止でき、踏段２の踏面１１と回転ブラシ１４との間に位置するゴミ１６を分散させずに、回転ブラシ１４の前述した右端部側という特定箇所に排出させ、右端部側に設けた図示しないごみ箱に回収させることができる。
【００２４】
図５に示す第３実施形態に係る踏段清掃装置は、案内手段を構成する案内ブラシ１７の形状に特徴があり、例えば回転ブラシ１４の中央部２５から見て右側部分２６の形状と、左側部分２７の形状とを互いに異ならせてある。すなわち、右側部分２６の形状は、上部から右下に向う形状に形成してあり、左側部分２６の形状は上部から左下に向う形状に形成してある。案内ブラシ１７の毛は、第１，第２実施形態と同様に例えば、回転ブラシ１４の毛よりも長い毛に設定してある。また図示しないが、この第３実施形態は、図５に示す回転ブラシ１４の右端部側と左端部側のそれぞれに、案内ブラシ１７によって案内されたゴミ１６を回収するごみ箱を備えている。その他の構成は、前述した第１実施形態と同等である。
【００２５】
このように構成した第３実施形態は、駆動部１５によって駆動される回転ブラシ１４と踏段２の踏面１１との間に位置するゴミ１６は、回転ブラシ１４の回転に伴って案内ブラシ１７によって回転ブラシ１４の図５における右端部側に、あるいは左端部側に案内される。したがってこの第３実施形態も、第１実施形態におけるのと同様に、踏段２の踏面１１と回転ブラシ１４との間に位置するゴミ１６を分散させずに、回転ブラシ１４の右端部側、あるいは左端部側という特定箇所に排出させ、右端部側あるいは左端部側のそれぞれに設けた図示しないごみ箱に回収させることができる。
【００２６】
図６，７に示す第４実施形態に係る踏段清掃装置は、回転ブラシ１４に付着したゴミ１６を案内する案内手段を、回転ブラシ１４の上側部分を覆うように回転ブラシ１４の延設方向に沿って形成されたカバー３１によって構成してある。このカバー３１は、その延設方向に沿って回転ブラシ１４に対向するように複数設けられ、回転ブラシ１４に付着したゴミ１６を案内する仕切り壁を形成する仕切り部３２を備えている。仕切り部３２のそれぞれは、上部から左下に向う形状に形成してある。また図示しないが、この第４実施形態は、図７に示す回転ブラシ１４の左端部側に、カバー３１の仕切り部３２によって案内されたゴミ１６を回収するゴミ箱を備えている。その他の構成は、前述した第１実施形態と同等である。
【００２７】
このように構成した第４実施形態は、駆動部１５によって駆動される回転ブラシ１４と踏段２の踏面１１との間に位置するゴミ１６は、回転ブラシ１４の回転に伴ってカバー３１の仕切り部３２によって回転ブラシ１４の図７における左端部側に案内される。したがってこの第４実施形態も、第１実施形態におけるのと同様に、踏段２の踏面１１と回転ブラシ１４との間に位置するゴミ１６を分散させずに、回転ブラシ１４の左端部側という特定箇所に排出させ、左端部側に設けた図示しないゴミ箱に回収させることができる。
【００２８】
図８に示す第５実施形態に係る踏段清掃装置も、第４実施形態におけるのと同様に、回転ブラシ１４に付着したゴミ１６を案内する案内手段を、回転ブラシ１４の上側部分を覆うように回転ブラシ１４の延設方向に沿って形成されたカバー３１によって構成してあり、このカバー３１は、その延設方向に沿って回転ブラシ１４に対向するように複数設けられ、回転ブラシ１４に付着したゴミ１６を案内する仕切り部３２を備えている。この第５実施形態にあっては、仕切り部３２のそれぞれは、上部から右下に向う形状に形成してある。また図示しないが、この第５実施形態は、図８に示す回転ブラシ１４の右端部側に、カバー３１の仕切り部３２によって案内されたゴミ１６を回収するごみ箱を備えている。その他の構成は前述した第１実施形態と同様である。
【００２９】
このように構成した第５実施形態は、駆動部１５によって駆動される回転ブラシ１４と踏段２の踏面１１との間に位置するゴミ１６は、回転ブラシ１４の回転に伴ってカバー３１の仕切り部３２によって回転ブラシ１４の図８における右端部側に案内される。したがってこの第５実施形態も、第１実施形態におけるのと同様に、踏段２の踏面１１と回転ブラシ１４との間に位置するゴミ１６を分散させずに、回転ブラシ１４の右端部側という特定箇所に排出させ、右端部側に設けた図示しないごみ箱に回収させることができる。
【００３０】
図９に示す第６実施形態に係る踏段清掃装置も、第４実施形態におけるのと同様に、回転ブラシ１４に付着したゴミ１６を案内する案内手段を、複数の仕切り部３２を有するカバー３１によって構成してある。この第６実施形態にあっては、仕切り部３２の形状に特徴があり、例えば回転ブラシ１４の中央部３３から見て右側部分３４の形状と、左側部分３５の形状とを互いに異ならせてある。すなわち、右側部分３４の形状は、上部から右下に向う形状に形成してあり、左側部分３５の形状は、上部から左下に向う形状に形成してある。また図示しないが、この第６実施形態は、図９に示す回転ブラシ１４の右端部側と左端部側のそれぞれに、カバー３１の仕切り部３２によって案内されたゴミ１６を回収するごみ箱を備えている。その他の構成は前述した第１実施形態と同等である。
【００３１】
このように構成した第６実施形態は、駆動部１５によって駆動される回転ブラシ１４と踏段２の踏面１１との間に位置するゴミ１６は、回転ブラシ１４の回転に伴ってカバー３１の仕切り部３２によって回転ブラシ１４の図９における右端部側、左端部側に案内される。したがってこの第６実施形態も、第１実施形態におけるのと同様に、踏段２の踏面１１と回転ブラシ１４との間に位置するゴミ１６を分散させずに、回転ブラシ１４の右端部側、または左端部側という特定箇所に排出させ、右端部側及び左端部側に設けた図示しないごみ箱に回収させることができる。
【符号の説明】
【００３２】
２    踏段
１１    踏面
１２    くし板
１３    コームプレート
１４    回転ブラシ
１５    駆動部
１６    ゴミ
１７    案内ブラシ（案内手段）
１８    軸
３１    カバー（案内手段）
３２    仕切り部
【図１】
2016011180.tif 000003
【図２】
2016011180.tif 000004
【図３】
2016011180.tif 000005
【図４】
2016011180.tif 000006
【図５】
2016011180.tif 000007
【図６】
2016011180.tif 000008
【図７】
2016011180.tif 000009
【図８】
2016011180.tif 000010
【図９】
2016011180.tif 000011